(57)【特許請求の範囲】
【請求項１】
通信ネットワークを利用した散水冷却装置の管理システムであって、
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する記憶装置と、前記散水動作の設定温度に達したら前記散水装置による散水を行うように制御する制御装置とを備えた散水冷却装置と、
気象情報を格納する気象情報提供用サーバーと、
通信ネットワークを介して前記気象情報提供用サーバーから得た前記気象情報に基づいて数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、通信ネットワークを介して前記散水冷却装置の前記記憶装置に格納された前記散水動作の設定温度に代わって新たに設定された散水動作の設定温度を前記制御装置に送信するホストコンピュータと
から構成されたことを特徴とする散水冷却装置の管理システム。
【請求項２】
通信ネットワークを利用した散水冷却装置の管理システムであって、
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する記憶装置と、前記散水動作の設定温度に達したら前記散水装置による散水を行うように制御する制御装置とを備えた散水冷却装置と、
気象情報を格納する気象情報提供用サーバーとを備え、
前記散水冷却装置の前記制御装置が通信ネットワークを介して前記気象情報提供用サーバーから得た前記気象情報に基づいて数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、前記散水動作の設定温度に代わって新たに設定された散水動作の設定温度を前記記憶装置に格納させるようにしたことを特徴とする散水冷却装置の管理システム。
【請求項３】
通信ネットワークを利用した散水冷却装置の管理システムであって、
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する記憶装置と、前記散水動作の設定温度に達したら前記散水装置による散水を行うように制御する制御装置とを備えた散水冷却装置と、
気象情報を格納する気象情報提供用サーバーと、
通信ネットワークを介して前記気象情報提供用サーバーから前記気象情報を入手するためのもので前記散水冷却装置と通信可能に接続したコンピュータと、
このコンピュータが入手した気象情報を表示する表示装置とを備え、
管理者が前記コンピュータを操作して入手した気象情報を前記表示装置に表示させて、管理者がこの表示された気象情報に基づいて数日中に雨が降るか否かを判断して、雨が降ると判断した場合には前記散水動作の設定温度を初期設定のままとし、雨が降らないと判断した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、前記散水冷却装置の前記記憶装置に格納された前記散水動作の設定温度に代わって新たに設定した散水動作の設定温度を格納させるようにしたことを特徴とする散水冷却装置の管理システム。
【請求項４】
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する第１記憶装置と、前記散水動作の設定温度に達したら前記散水装置による散水を行うように制御する第１制御装置とを備えた散水冷却装置であって、
気象情報を格納する第２記憶装置と、
この第２記憶装置に格納された前記気象情報に基づいて数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、前記散水動作の設定温度に代わって新たに設定された散水動作の設定温度を前記第１記憶装置に格納させるように制御する第２制御装置とを
設けたことを特徴とする散水冷却装置。
【請求項５】
前記気象情報は、これから何日か後に雨が降る気象予報と、何日か前の最高温度とであることを特徴とする請求項１乃至請求項４のいずれかに記載の散水冷却装置の管理システム又は散水冷却装置。
【発明の詳細な説明】
【技術分野】
【０００１】
本発明は、通信ネットワークを利用した散水冷却装置の管理システム、空気調和装置の室外機又は建築物に散水して冷却する散水冷却装置に関する。
【背景技術】
【０００２】
本特許出願人は、この種の散水冷却装置として、雨水を貯水する貯水タンクと、この貯水タンク内の雨水を浄化する浄化装置と、この浄化装置により浄化された雨水を室外機又は建築物に散水する散水装置とを設けたものを提案している（特許文献１参照）。
【０００３】
このものは、雨水を浄化して使用するので、従来の水道水のみを利用するものに比べて水道代を節約でき、経済的で衛生的な散水を行うことができる利点がある。
【先行技術文献】
【特許文献】
【０００４】
【特許文献１】特開２０１０−１４３４６号公報
【発明の概要】
【発明が解決しようとする課題】
【０００５】
この散水冷却装置において、外気温度が所定温度以上（設定温度）になったら、空気調和装置の室外機又は建築物に散水を行うことが考えられるが、今後しばらくの間、雨が降らない場合、設定温度が低い条件のままで散水が実行されると、外気温度が最高温度の際に、貯水タンク内の雨水が不足してしまう事態が発生する。
【０００６】
そこで、気象情報に合わせて、前述した設定温度を変更設定するようにして、貯水タンクに貯水された雨水を有効利用することを目的とする。
【課題を解決するための手段】
【０００７】
このため第１の発明は、通信ネットワークを利用した散水冷却装置の管理システムであって、
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する記憶装置と、前記散水動作の設定温度に達したら前記散水装置による散水を行うように制御する制御装置とを備えた散水冷却装置と、
気象情報を格納する気象情報提供用サーバーと、
通信ネットワークを介して前記気象情報提供用サーバーから得た前記気象情報に基づいて数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、通信ネットワークを介して前記散水冷却装置の前記記憶装置に格納された前記散水動作の設定温度に代わって新たに設定された散水動作の設定温度を前記制御装置に送信するホストコンピュータと
から構成されたことを特徴とする。
【０００８】
また第２の発明は、通信ネットワークを利用した散水冷却装置の管理システムであって、
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する記憶装置と、前記散水動作の設定温度に達したら前記散水装置による散水を行うように制御する制御装置とを備えた散水冷却装置と、
気象情報を格納する気象情報提供用サーバーとを備え、
前記散水冷却装置の前記制御装置が通信ネットワークを介して前記気象情報提供用サーバーから得た前記気象情報に基づいて数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、前記散水動作の設定温度に代わって新たに設定された散水動作の設定温度を前記記憶装置に格納させるようにしたことを特徴とする。
【０００９】
第３の発明は、通信ネットワークを利用した散水冷却装置の管理システムであって、
空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する記憶装置と、前記散水動作の設定温度に達したら前記散水装置による散水を行うように制御する制御装置とを備えた散水冷却装置と、
気象情報を格納する気象情報提供用サーバーと、
通信ネットワークを介して前記気象情報提供用サーバーから前記気象情報を入手するためのもので前記散水冷却装置と通信可能に接続したコンピュータと、
このコンピュータが入手した気象情報を表示する表示装置とを備え、
管理者が前記コンピュータを操作して入手した気象情報を前記表示装置に表示させて、管理者がこの表示された気象情報に基づいて数日中に雨が降るか否かを判断して、雨が降ると判断した場合には前記散水動作の設定温度を初期設定のままとし、雨が降らないと判断した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、前記散水冷却装置の前記記憶装置に格納された前記散水動作の設定温度に代わって新たに設定した散水動作の設定温度を格納させるようにしたことを特徴とする。
【００１０】
第４の発明は、空気調和装置の室外機又は建築物に散水して冷却するもので、雨水を貯水する貯水タンクと、この貯水タンク内の雨水を浄化する浄化装置と、この浄化装置により浄化された前記貯水タンクの雨水を前記室外機又は建築物に散水する散水装置と、この散水装置による散水を行う散水動作の設定温度を格納する第１記憶装置と、前記散水動作の設定温度に達したら前記散水装置による散水を行うように制御する第１制御装置とを備えた散水冷却装置であって、
気象情報を格納する第２記憶装置と、
この第２記憶装置に格納された前記気象情報に基づいて数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、前記散水動作の設定温度に代わって新たに設定された散水動作の設定温度を前記第１記憶装置に格納させるように制御する第２制御装置とを
設けたことを特徴とする。
【００１１】
第５の発明は、第１乃至第４の発明において、前記気象情報は、これから何日か後に雨が降る気象予報と、何日か前の最高温度とであることを特徴とする。
【発明の効果】
【００１３】
本発明によれば、気象情報に基づいて、数日中に雨が降るか否かを判定して、雨が降ると判定した場合には前記散水動作の設定温度を初期設定のままとし、雨が降らないと判定した場合には、何日か前の最高温度に基づいて前記最高温度が所定温度以下では前記散水動作の設定温度を初期設定のままとし前記最高温度が所定温度以上では前記散水動作の設定温度が初期設定温度より上げられ新たに設定され、空気調和装置の室外機又は建築物に散水して冷却する散水装置による散水を行う散水動作の設定温度を変更設定するようにしたから、貯水タンクに貯水された雨水を有効利用することができる。
【図面の簡単な説明】
【００１４】
【図１】散水冷却装置の概略構成説明図である。
【図２】散水冷却装置の制御ブロック図である。
【図３】本発明の第１の実施形態の散水冷却装置の管理システムの概略説明図である。
【図４】散水をするときの温度の決定に係るフローチャートを示す図である。
【図５】本発明の第２の実施形態の散水冷却装置の管理システムの概略説明図である。
【図６】本発明の第３の実施形態の散水冷却装置の管理システムの概略説明図である。
【発明を実施するための形態】
【００１５】
以下、例えば店舗に設置される低温ショーケースや店舗内の空調をするための空気調和装置などの空気調和装置の室外機（熱交換器）に散水して冷却する散水冷却装置１に係る本発明を実施するための形態について、図１乃至図６を参照しながら説明する。なお、本発明における散水には、噴霧及び間欠滴下も含む概念である。
【００１６】
図１において、２は貯水タンクで、例えば建物に設置される雨樋３からの雨水が集められて連通管４を介して貯水するが、給水装置としての水道管、電磁弁を介して水道水を供給するようにしてもよい。なお、前記貯水タンク２は、黒色のポリエチレン樹脂から構成され、三層構造として光の進入を遮断し、光合成で藻が発生することを防止している。
【００１７】
５は貯水タンク２内に貯水された雨水を浄化する雨水浄化装置で、雨水浄化装置５はエア供給流路を形成するエア供給配管６の一端に配設されてエア供給配管６内に空気を圧送するエアーポンプ７と、エア供給配管６途中に配設される逆止弁８、オゾン発生装置を構成するオゾナイザ９及び逆止弁１０と、エア供給配管６の他端に接続されて前記貯水タンク２内の下部に配設される多孔質の軽石から構成される複数の多孔質体１１とから構成され、これらがエア供給配管６に順に配設される。
【００１８】
従って、エアーポンプ７の駆動により、オゾナイザ９において発生されたオゾン（気体）を含む空気がエア供給配管６を介して多孔質体１１内に供給され、多孔質体１１によってオゾンを雨水に溶け易くされて、無数の極小さな気泡として貯水タンク２内の雨水中を上昇しながら、オゾンが雨水に溶け込まれる。このため、このオゾンは貯水タンク２内の雨水の中のレジオネラ菌等を死滅（除菌）させて、繁殖しないように抑制して浄化する。
【００１９】
１５は貯水タンク２の底部よりは上部に接続され取出し管１４を介して取出し、浄化された水を噴射ノズル１６より空気調和装置の室外機である熱交換器２０に散水する散水装置で、圧送ポンプ２１、開閉弁２２、熱交換器２０上に載置される散水制御用電装箱２３、この電装箱２３及びホース２４を介して開閉弁２２に接続される噴射ノズル１６等から構成される。散水制御用電装箱２３内には、散水制御のための散水制御装置としてのマイクロコンピュータ２５（以下、「マイコン」という。）、モニター等の表示装置２７、この表示装置２７に表示されたタッチパネルスイッチから構成される入力手段２８等が搭載されたプリント基板や水配管等が配設されている。
【００２０】
前記マイコン２５は散水冷却装置１を統括的に制御するもので、開閉弁２２の開閉制御については以下のように行う。開閉弁２２が閉じられると、圧送ポンプ２１は高圧状態となって、圧送ポンプ２１は自身で運転を停止し、開くと低圧状態となって、自身で運転を開始することとなるものである。従って、マイコン２５が開閉弁２２の開閉制御を行うことにより、結果として圧送ポンプ２１を制御することとなるものである。この圧送ポンプ２１として、例えば粘性ポンプ（摩擦ポンプ）に分類されるカスケードポンプ（渦流ポンプ）を使用している。
【００２１】
貯水タンク２には、水位を検出する上下２つの水位センサ２４Ａ、２４Ｂが設けられている。水位センサ２４Ａ、２４Ｂは電極式であるが、フロート式でも良い。そして、貯水タンク２の取出し管１４が取付けられる取出し口より僅か上位の所定の第１水位Ｌ１となると水位センサ２４Ｂの出力信号を受けたマイコン２５は散水冷却運転を開始させないか又は散水冷却運転中では停止するように制御し、また雨が降って、雨樋３からの雨水が集められて連通管４を介して貯水されて所定の第２水位Ｌ２となると、後述するように少なくとも１日に１回浄化させることに加え、水位センサ２４Ａの出力信号を受けたマイコン２５はエアーポンプ７を駆動させ、オゾナイザ９で発生させたオゾンをエア供給配管６を介して貯水タンク２内の雨水を所定時間、浄化させるように制御する。
【００２２】
そして、図２に示すように、前記マイコン２５の入力側には、運転を開始するための運転スイッチ２６、水位センサ２４Ａ、２４Ｂ、タイマー２９、外気温度を検出する外気温度検出センサ１７等が接続され、出力側には、エアーポンプ７、オゾナイザ９、圧送ポンプ２１、開閉弁２２、表示装置２７、この表示装置２７に表示されたタッチパネルスイッチなどから構成される入力手段２８等が接続される。このマイコン２５は、本散水冷却装置１を統括制御するＣＰＵ（セントラル・プロセッシング・ユニット）３０と、該ＣＰＵ３０にバスラインを介して接続されるＲＡＭ（ランダム・アクセス・メモリ）３１及びＲＯＭ（リ−ド・オンリー・メモリ）３２が備えられている。そして、ＣＰＵ３０は前記ＲＡＭ３１に記憶されたデータに基づき、前記ＲＯＭ３２に格納されたプログラムに従い、散水冷却装置１の散水冷却に係る動作を統括制御する。そして、前記入力手段２８を使用して設定された初期設定温度が前記ＲＡＭ３１に格納されており、例えば外気温度が２７℃を初期設定温度として格納している。
【００２３】
なお、この雨水浄化装置５による雨水の浄化は、タイマー２９を使用して少なくとも１日に１回、所定時間ごとに所定時間行うように、マイコン２５により制御される。即ち、例えば２４時間毎に３時間だけ、開閉弁２４を開くように制御し、前述したように、マイコン２５は圧送ポンプ２１を運転させて噴射ノズル１６より空気調和装置の室外機である熱交換器２０に散水するように制御する。この場合、深夜電力契約時間帯に、この浄化及び循環行なうことにより、より安価に循環動作を実行することができる。
【００２４】
次に、図３に基づいて、本発明の第１の実施形態であるインターネットを利用した散水冷却装置１の管理システムについて、以下説明する。４０は本散水冷却装置１の管理システムを管理するホストコンピュータで、４１は気象予報業務事業者が過去・現在の気象情報及び将来の気象予報等の気象情報を提供するための気象情報提供用コンピュータであるが、気象予報業務事業者が提供する前記気象情報及び気象予報を格納するサーバーでもよい。
【００２５】
そして、前記ホストコンピュータ４０は通信ネットワークであるインターネット４２を介して気象情報提供用コンピュータ４１から気象情報を入手でき、この気象情報に基いた必要な情報をインターネット４２を介して各店舗に設置される散水冷却装置１の各マイコンに配信できる構成である。
【００２６】
なお、前記ホストコンピュータ４０はインターネット４２を介して気象情報提供用コンピュータ４１と、また前記各マイコン２５はインターネット４２を介してホストコンピュータ４０と通信可能であるが、その他のネットワーク、例えばイントラネットなどでもよい。
【００２７】
前記気象情報提供用コンピュータ４１は気象予報業務事業者が管理し、過去及び現在の気象情報を格納するだけでなく、例えば所定時間毎に気象予報情報を更新し、その更新された気象予報情報を情報提供用コンピュータ４１自身が備えたメモリに格納する。この気象予報情報は情報提供用コンピュータ４１が、気圧を検出する気圧検出センサ、外気の湿度を検出する湿度検出センサ等からの出力に基づく各種情報に基づいて情報提供用コンピュータ４１自身で作成しても良いし、気象予報業務事業者の管理者が作成したものでもよい。
【００２８】
そして、ホストコンピュータ４０は、図４に示すようなフローチャートに従い、散水冷却装置１による散水するときの温度を決定する。先ず、数日中（これから何日か後に）、例えば３日以内に雨が降るか否かを判定する（ステップＳ０１）。この場合、ホストコンピュータ４０はインターネット４２を介して情報提供用コンピュータ４１から気象予報を入手し、この気象情報に基づいて判定する。
【００２９】
この場合、ホストコンピュータ４０は３日以内に雨が降ると判定した場合には、各散水冷却装置１のマイコン２５に初期設定のままとして初期設定温度を維持する旨の情報を送信するか、何も送信しないようにする（ステップＳ０２）。従って、各散水冷却装置１は外気温度が初期設定温度である２７℃に達したことを検出した外気温度検出センサ１７からの温度出力に基づいて、空気調和装置の熱交換器２０に散水するように制御されることとなる。
【００３０】
また、ホストコンピュータ４０が３日以内に雨が降らないと判定した場合には、情報提供用コンピュータ４１から入手した過去の気象情報に基づいて、何日か前、例えば一週間前の最高温度を確認して（ステップＳ０３）、その最高温度如何によって以下のような制御を行う。
【００３１】
即ち、一週間前の最高温度が、例えば３０℃以下であることを確認した場合には、初期設定温度（２７℃）のままとし（ステップＳ０４）、ホストコンピュータ４０は各散水冷却装置１のマイコン２５に初期設定温度を維持する旨の情報を送信するか、何も送信しないようにする（ステップＳ０５）。
【００３２】
また、一週間前の最高温度が、初期設定温度の２７℃より高い、例えば３０℃以上で３５℃未満であることを確認した場合には、初期設定温度（２７℃）より、例えば＋２℃の２９℃を設定温度とするように、ホストコンピュータ４０は各散水冷却装置１のマイコン２５に送信する（ステップＳ０５）。従って、各散水冷却装置１は外気温度が新たに設定された設定温度である２９℃に達したことを検出した外気温度検出センサ１７からの温度出力に基づいて、空気調和装置の熱交換器２０に散水するように制御されることとなる。
【００３３】
更に、一週間前の最高温度が、例えば３５℃以上であることを確認した場合には、初期設定温度（２７℃）より、例えば＋５℃の３２℃を新たに設定された設定温度とするように、ホストコンピュータ４０は各散水冷却装置１のマイコン２５に送信する（ステップＳ０６）。従って、各散水冷却装置１は外気温度が新たに設定された設定温度である３２℃に達したことを検出した外気温度検出センサ１７からの温度出力に基づいて、空気調和装置の熱交換器２０に散水するように制御されることとなる。
【００３４】
以上のような第１の実施形態によれば、外気温度が単に所定温度以上（初期設定温度である２７℃以上）になったら、散水を行うものではなく、３日以内に雨が降らないという天気予報がなされ、且つ一週間の最高温度に応じて初期設定温度を変更するようにしたから、貯水タンク２内の雨水を有効に使用することができる。
【００３５】
次に、図５に基づいて、本発明の第２の実施形態であるインターネットを利用した散水冷却装置１の管理システムについて、以下説明する。この第２の実施形態は第１の実施形態で使用したホストコンピュータ４０は使用しないで、気象予報業務事業者が過去及び現在の気象情報及び将来の気象予報を提供するための気象情報提供用コンピュータ（サーバーでもよい。）４１を使用するという実施形態である。
【００３６】
従って、図４に示すフローチャートに係る制御は、ホストコンピュータ４０ではなく、各散水冷却装置１のマイコン２５が行うものである。即ち、各散水冷却装置１のマイコン２５はインターネット４２を介して情報提供用コンピュータ４１から気象予報を入手し、この気象情報に基づいて、数日中に、例えば３日以内に雨が降るか否かを判定する（ステップＳ０１）。
【００３７】
そして、各マイコン２５は３日以内に雨が降ると判定した場合には、初期設定のままとして初期設定温度を維持するように制御する（ステップＳ０２）。また、各マイコン２５が３日以内に雨が降らないと判定した場合には、情報提供用コンピュータ４１から入手した過去の気象情報に基づいて一週間前の最高温度を確認して（ステップＳ０３）、その最高温度如何によって以下のような制御を行う。
【００３８】
即ち、一週間前の最高温度が３０℃以下であることを確認した場合には、初期設定温度（２７℃）のままとし（ステップＳ０４）、また３０℃以上で３５℃未満であることを確認した場合には、初期設定温度（２７℃）より＋２℃の２９℃を新たに設定された設定温度としてＲＡＭ３１に格納する（ステップＳ０５）。従って、各散水冷却装置１は外気温度が新たに設定された設定温度である２９℃に達したことを検出した外気温度検出センサ１７からの温度出力に基づいて、空気調和装置の熱交換器２０に散水するように制御する。更に、３５℃以上であることを確認した場合には、初期設定温度（２７℃）より＋５℃の３２℃を新たに設定された設定温度としてＲＡＭ３１に格納する（ステップＳ０６）。従って、各散水冷却装置１は外気温度が新たに設定された設定温度である３２℃に達したことを検出した外気温度検出センサ１７からの温度出力に基づいて、空気調和装置の熱交換器２０に散水するように制御する。
【００３９】
次に、図６に基づいて、本発明の第３の実施形態であるインターネットを利用した散水冷却装置１の管理システムについて、以下説明する。この第３の実施形態は第１の実施形態で使用したホストコンピュータ４０は使用しないで、気象予報業務事業者が過去及び現在の気象情報及び将来の気象予報を提供するための気象情報提供用コンピュータ（サーバーでもよい。）４１、及び各散水冷却装置１のマイコン２５に接続された、例えばキーボードを備えたパーソナルコンピュータ（以下、「パソコン」という。）４５を使用するという実施形態である。
【００４０】
従って、各店舗の管理者は各散水冷却装置１に接続されたパソコン４５を操作して、インターネット４２を介して情報提供用コンピュータ４１から気象予報を入手して表示装置４６に表示させ、管理者はこの表示装置に表示された気象予報に基づいて、数日中に、例えば３日以内に雨が降るか否かを判断する。
【００４１】
そして、管理者が雨が降ると判断した場合には、初期設定のままとして初期設定温度を維持して変更しない。また、３日以内に雨が降らないと判断した場合には、各散水冷却装置１に接続されたパソコン４５を操作して、インターネット４２を介して情報提供用コンピュータ４１から過去の気象情報を入手して表示装置４６に表示させて、管理者はこの表示装置４６に表示された気象情報に基づいて一週間前の最高温度を確認する。
【００４２】
即ち、管理者は一週間前の最高温度が３０℃以下であることを確認した場合には、初期設定温度（２７℃）のままとして変更せず、また３０℃以上で３５℃未満であることを確認した場合には、パソコン４５を操作して初期設定温度（２７℃）より＋２℃の２９℃を新たに設定された設定温度として自己の持つ内部メモリ及び散水冷却装置１のＲＡＭ３１に格納する（ステップＳ０５）。更に、管理者が３５℃以上であることを確認した場合には、パソコン４５を操作して初期設定温度（２７℃）より＋５℃の３２℃を新たに設定された設定温度として自己の持つ内部メモリ及び散水冷却装置１のＲＡＭ３１に格納する（ステップＳ０６）。
【００４３】
従って、各散水冷却装置１の各マイコン２５は外気温度が初期設定温度の２７℃に達したか、或いは新たに設定された設定温度（２９℃又は３２℃）に達したことを検出した外気温度検出センサ１７からの温度出力に基づいて、空気調和装置の熱交換器２０に散水するように制御する。
【００４４】
次に、本発明の第４の実施形態である散水冷却装置１について、以下説明する。この第４の実施形態は第１の実施形態で使用したホストコンピュータ４０及び気象情報提供用コンピュータ（サーバーでもよい。）４１を使用しない実施形態である。
【００４５】
即ち、図４のフローチャートにおけるステップＳ０１において、数日中に、例えば３日以内に雨が降るか否かを判定するが、これを自身のＲＡＭ３１に格納した気象情報に基いて、マイコン２５が判定しなければならない。
【００４６】
従って、マイコン２５は気圧を検出する気圧検出センサ、外気の湿度を検出する湿度検出センサ（共に図示せず）などに基づいて、天気予報をする必要があるが、例えば特開平２−２９３６８７号公報に開示する降水確率予想装置で天気を予測したり、また特開平７−７７５８３号公報に開示する天気予測方法で天気を予測して、３日以内に雨が降るか否かを判定する。即ち、前記気圧検出センサ、湿度検出センサなどの出力信号をＲＡＭ３１に格納して、この格納されたデータに基づいて、ＲＯＭ３２に格納されたプログラムに従い、マイコン２５（ＣＰＵ３０）は３日以内に雨が降るか否かを判定する。
【００４７】
更に、図４のフローチャートにおけるステップＳ０３において、一週間前の最高温度を確認するが、外気温度検出センサ１７が検出した最高温度を毎日、ＲＡＭ３１に格納させるように制御して、この格納された温度情報データ（気象情報）に基づいて一週間前の最高温度を確認する。
【００４８】
この第４の実施形態では、各散水冷却装置１のマイコン２５が天気を予測して、３日以内に雨が降るか否かを判定し、雨が降ると判定した場合には、初期設定のままとして初期設定温度を維持するように制御する。また、各マイコン２５が３日以内に雨が降らないと判定した場合には、ＲＡＭ３１に格納された一週間前の最高温度を確認して、その最高温度如何によって以下のような制御を行う。
【００４９】
即ち、一週間前の最高温度が３０℃以下であることを確認した場合には、初期設定温度（２７℃）のままとし（ステップＳ０４）、また３０℃以上で３５℃未満であることを確認した場合には、初期設定温度（２７℃）より＋２℃の２９℃を新たに設定された設定温度としてＲＡＭ３１に格納する（ステップＳ０５）。更に、３５℃以上であることを確認した場合には、初期設定温度（２７℃）より＋５℃の３２℃を新たに設定された設定温度としてＲＡＭ３１に格納する（ステップＳ０６）。
【００５０】
従って、各散水冷却装置１の各マイコン２５は外気温度が初期設定温度の２７℃に達したか、或いは新たに設定された設定温度（２９℃又は３２℃）に達したことを検出した外気温度検出センサ１７からの温度出力に基づいて、空気調和装置の熱交換器２０に散水するように制御する。
【００５１】
なお、第１乃至第４の実施形態において、初めに数日中に雨が降るか否かを判定（判断）し、雨が降ると判定（判断）した後に、例えば一週間前の最高温度を確認するようにして、その確認した最高温度に応じて初期設定温度のままとしたり、設定温度を新たに設定して更新するようにしたが、必ずしも数日中に雨が降るか否かを判定せずに、例えば一週間前の最高温度を確認するようにして、その確認した最高温度に応じて初期設定温度のままとしたり、設定温度を新たに設定するようにしてもよい。
【００５２】
また、新たに設定温度を設定する場合には、初期設定温度を格納したままとし、この初期設定温度以外に新たに設定する設定温度をＲＡＭ３１に格納するようにする。
【００５３】
更に、以上の実施形態では、噴射ノズル２２から空気調和装置における熱交換器２０に貯水タンク２からの浄化された水を散水するようにしたが、この熱交換器２０に限らず、建築物や自動車などに散水したり、庭や樹木などへ散水してもよい。
【００５４】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５５】
１          散水冷却装置
２          貯水タンク
５          雨水浄化装置
７          エアーポンプ
９          オゾナイザ
１５        散水装置
１６        噴射ノズル
２０        熱交換器
２１        圧送ポンプ
２２        開閉弁
２５        マイクロコンピュータ
３０        ＣＰＵ
３１        ＲＡＭ
４０        ホストコンピュータ
４１        情報提供用コンピュータ
４２        インターネット
【図１】
0005538001.tif 000002
【図２】
0005538001.tif 000003
【図３】
0005538001.tif 000004
【図４】
0005538001.tif 000005
【図５】
0005538001.tif 000006
【図６】
0005538001.tif 000007